(57)【特許請求の範囲】
【請求項１】
割り溝により径方向に拡開・収縮可能な円筒部を備え取り付け部品の穴に嵌挿されるブッシュと、２つ割した脚を前記円筒部に挿入し円筒部を径方向に拡開し取り付け部品の穴に圧接するピンとからなり、前記ブッシュには前記ピンを開脚するピン開脚片を備え、前記ピンには、その先端側から初期閉脚状態で前記ピン開脚片が納まる第１空間と、前記ピン開脚片によりピンを開脚する小さい第２空間と、ピン開脚片が納まりピンを閉脚させる第３空間とを有する前記ブッシュとピンとによる２ピースクリップにおいて、ピン脚部の第３空間に納まっていたピン開脚片を閉脚状態からピン脚部の第１空間に納まる前記初期閉脚状態に戻すための三角山形の突起を取り付け部品の一部に設けたことを特徴とする２ピースクリップのアンロック構造。
【請求項２】
三角山形の突起の両側にピンの両脚先端を保持する溝を設け、ピン開脚片が第２空間の通過を許容するピンの開脚幅で規制するようにしたことを特徴とする請求項１に記載の２ピースクリップのアンロック構造。
【発明の詳細な説明】
【技術分野】
【０００１】
本発明は、取り付け部品の穴に嵌挿されるブッシュと、このブッシュに挿入してブッシュを径方向に拡開しロックするピンとからなるピースクリップのアンロック構造に関するものである。
【背景技術】
【０００２】
例えば、自動車のエンジンルーム内において、各機能部品に意匠カバーが２ピースクリップにて取り付けられている。２ピースクリップは図４で示すように、割り溝により径方向に拡開・収縮可能な円筒部２を備え取り付け部品８の穴に嵌挿されるブッシュ１と、２つ割した脚４ａ、４ｂを前記円筒部２に挿入し円筒部２を径方向に拡開し取り付け部品８の穴に圧接するピン４とからなり、前記ブッシュ１には前記ピン４を開脚するピン開脚片３を備え、前記ピン４には、その先端側から図４で示す初期閉脚状態で前記ピン開脚片３が納まる大きな第１空間５と、図５で示すように前記ピン開脚片３によりピン４を開脚する小さい第２空間６と、図６で示すようにピン４を閉脚させる大きな第３空間７とを有している。
【０００３】
図５で示すようにピン開脚片３が小さい第２空間に納まってピン４を開脚している状態から閉脚して２ピースクリップを取り付け部品８から取り外すにはピン４を押し込むことにとりピン４はブッシュ１と相対軸移動してピン開脚片３が図６で示すように第３空間７内に位置し、ピン４は閉脚して径方向に拡開していたブッシュ１の円筒部２を収縮させることによって取り外される。
【０００４】
このようにして取り外したし２ピースクリップを再利用するには図６で示すようにピン開脚片３が第３空間７内に位置していた状態から図４で示すようピン開脚片３が第１空間５に位置する初期閉脚状態にしなくてはならない。それには、ピン開脚片３を小さいの第２空間６を通過させる必要があり、ピン開脚片３が小さい第２空間６を通過するようピン４の両脚４ａ、４ｂを開脚するが、従来では作業者が指先で両脚４ａ、４ｂを広げピン４を押し上げていた。従って、作業者は軍手を使用したのでは微妙な作業はできないため素手で作業しており、爪が損傷する場合があり、これを改善しなければならない課題があった。
【特許文献１】特開平５−３１００８４公報
【特許文献２】特開２００１−１２４２２公報
【特許文献３】特開２００１−２４１４０８公報
【特許文献３】特開２００１−２７１８１１公報
【発明の開示】
【発明が解決しようとする課題】
【０００５】
本発明は、このような従来の課題を解決するために、簡単な構造と操作により指先を用いなくてもピンを初期閉脚状態の戻すようにした２ピースクリップのアンロック構造を提供する。
【課題を解決するための手段】
【０００６】
本発明は、この目的を達成するために、請求項１に記載の通り、割り溝により径方向に拡開・収縮可能な円筒部を備え取り付け部品の穴に嵌挿されるブッシュと、２つ割した脚を前記円筒部に挿入し円筒部を径方向に拡開し取り付け部品の穴に圧接するピンとからなり、前記ブッシュには前記ピンを開脚するピン開脚片を備え、前記ピンには、その先端側から初期閉脚状態で前記ピン開脚片が納まる第１空間と、前記ピン開脚片によりピンを開脚する小さい第２空間と、ピン開脚片が納まりピンを閉脚させる第３空間とを有する前記ブッシュとピンとによる２ピースクリップにおいて、ピン脚部の第３空間に納まっていたピン開脚片を閉脚状態からピン脚部の第１空間に納まる前記初期閉脚状態に戻すための三角山形の突起を取り付け部品の一部に設けたことを特徴とするものである。
【０００７】
また、請求項２に記載の通り、三角山形の突起の両側にピンの両脚先端を保持する溝を設け、ピン開脚片が第２空間の通過を許容するピンの開脚幅で規制するようにしたことを特徴とするものである
【発明の効果】
【０００８】
本発明によれば、ピン開脚片を第３空間に位置させて取り付け部品から取り外した状態の２ピースクリップのピンを取り付け部品に設けた簡単な構造の三角山形の突起に押し付けることにより指先を使用しなくても両脚は開脚し、ブッシュを押し下げることでピン開脚片は第１空間に位置する初期閉脚状態に簡単に戻すことができ、２ピースクリップの再利用時のディラー及びユーザーへのサービス性を向上する。
【発明を実施するための最良の形態】
【０００９】
以下本発明を実施するための最良の形態について図面に基づいて説明する。２ピースクリップは従来と同一構造であり、図１において、割り溝により径方向に拡開・収縮可能な円筒部２を備え取り付け部品８の穴に嵌挿されるブッシュ１と、２つ割した脚４ａ、４ｂを前記円筒部２に挿入し円筒部２を径方向に拡開し取り付け部品８の穴に圧接するピン４とからなり、前記ブッシュ１には前記ピン４を開脚するピン開脚片３を備え、前記ピン４には、その先端側から図４で示す初期閉脚状態で前記ピン開脚片３が納まる大きな第１空間５と、図５で示すように前記ピン開脚片３によりピン４を開脚する小さい第２空間６と、図６で示すようにピン４を閉脚させる大きな第３空間７とを有している。
【００１０】
そこで、本発明は、図１で示すピン開脚片３がピン４の第３空間７に納まっていた閉脚状態でブッシュ１を押しつけて開脚させピン開脚片３がピン４の第１空間５に納まる初期閉脚状態に戻すための三角山形（台形）の突起９を取り付け部品８に設けたことである。
【００１１】
また、前記三角山形の突起９の両側にピン４の両脚４ａ、４ｂの先端を保持する溝を設け、ピン開脚片３が第２空間６の通過を許容するピン４の開脚幅で規制するようにしたものである。
【００１２】
本発明は上記の通りの構造であるから、図５で示すようにピン開脚片３が小さい第２空間納まってピン４を開脚してロックされている状態からロック解除して２ピースクリップを取り付け部品８から取り外すにはピン４を押し込むことにとりピン４はブッシュ１と相対軸移動してピン開脚片３が図６で示すように第３空間７内に収まり、ピン４は閉脚して径方向に拡開していたブッシュ１の円筒部２を収縮させることによって取り外される。      
【００１３】
前記取り付け部品８から取りした２ピースクリップを再利用するために図４で示すようピン開脚片３が第１空間５に位置する初期閉脚状態にするために、ピン４の両脚４ａ、４ｂの先端を三角山形の突起９に押しつけ、図３で示すようにピン４の両脚４ａ、４ｂの先端が角山形の突起９の溝１０ａ、１０ｂに保持される。これにより、ピン４の両脚４ａ、４ｂは大きく開脚し、第２空間６はピン開脚片３が通過を許容するよう広がる。
【００１４】
このように、ピン４の両脚４ａ、４ｂを角山形の突起９に押しつけて開脚した状態でブッシュ１を押し下げ、引き上げ動作を行うことにより、ピン４は三角山形の突起９の傾斜面で逐次上昇してブッシュ１と相対移動し、ピン開脚片３が小さい第２空間６を通過し第１空間５に位置して両脚４ａ、４ｂは図４で示すように初期閉脚状態に戻る。
【００１５】
従って、従来のように指先で開脚し、爪の損傷をきたすようことがなくなり、しかも、三角山形の突起９は取り付け部品８の一部に設けているので、取り外した取り付け部品８を手近で使用することができる。
【００１６】
また、三角山形の突起９の両側にピン４の両脚４ａ、４ｂの先端を保持する溝１０ａ、１０ｂを設けたことにより、ピン開脚片３が第２空間６の通過を許容するピン４の開脚幅で規制されるため、ピン４の両脚４ａ、４ｂを必要以上に開脚する押し込みを抑制することができる。
【００１７】
以上のように、本発明は、２ピースクリップの再利用時のアンロックを従来のように指先で行うことなく、簡単な構造と操作で行うことができるため、ディラー及びユーザーへのサービス性を向上する利点を有している。
【図面の簡単な説明】
【００１８】
【図１】本発明により取り付け部品から取り外した状態の２ピースクリップのアンロック開始状態を示す断面図
【図２】ピンが三角山形の突起に接触を開始した状態を示す断面図
【図３】ピンが三角山形の突起に押し込まれた状態を示す断面図
【図４】ピンの初期閉脚状態を示す断面図
【図５】図４のＢ−Ｂ矢視断面図
【図６】取り付け部品から２ピースクリップを取り外す状態を示す断面図
【符号の説明】
【００１９】
１       ブッシュ
２       円筒部
３       ピン開脚片
４       ピン
４ａ     脚
４ｂ     脚
５       第１空間
６       第２空間
７       第３空間
８       取り付け部品
９       三角山形の突起
１０ａ     溝
１０ｂ     溝
【図１】
0004476944.tif 000002
【図２】
0004476944.tif 000003
【図３】
0004476944.tif 000004
【図４】
0004476944.tif 000005
【図５】
0004476944.tif 000006
【図６】
0004476944.tif 000007